(57)【要約】【課題】混合前の薬剤を患者に投与するのをより効果的に防ぐことができる掛吊穴閉鎖部材を提供する。【解決手段】複室型輸液バッグに固着され、掛吊穴と一致する位置に第１の開口が形成された第１の挟持部と、第１の挟持部とともに収容室を挟持するための第２の挟持部と、第１及び第２の挟持部を連結する、屈曲可能な連結部と、第１及び第２の挟持部の一方面同士を対向させた状態で、第２の挟持部が掛吊穴を閉鎖するとともに第１及び第２の挟持部の少なくとも一部が収容室を挟持するよう、第２の挟持部を保持する第１の保持手段と、第１及び第２の挟持部の他方面同士を対向させた状態で、掛吊穴が露出するよう第２の挟持部を保持する第２の保持手段と、を備え、第２の保持手段は、易剥離シール仕切り部が開通した状態において、第２の挟持部を保持可能となり、第２の保持手段により前記第２の挟持部を保持することで掛吊穴が使用可能となる、掛吊穴閉鎖部材。【選択図】図３
2010284400.tif 000002
【特許請求の範囲】
【請求項１】
易剥離シール仕切り部により隔てられた複数の収容室を有し掛吊穴が形成された複室型輸液バッグに装着される掛吊穴閉鎖部材であって、
複室型輸液バッグに固着され、掛吊穴と一致する位置に第１の開口が形成された第１の挟持部と、
前記第１の挟持部とともに収容室を挟持するための第２の挟持部と、
前記第１及び第２の挟持部を連結する、屈曲可能な連結部と、
前記第１及び第２の挟持部の一方面同士を対向させた状態で、前記第２の挟持部が掛吊穴を閉鎖するとともに前記第１及び第２の挟持部の少なくとも一部が収容室を挟持するよう、前記第２の挟持部を保持する第１の保持手段と、
前記第１及び第２の挟持部の他方面同士を対向させた状態で、掛吊穴が露出するよう前記第２の挟持部を保持する第２の保持手段と、を備え、
前記第２の保持手段は、易剥離シール仕切り部が開通した状態において、前記第２の挟持部を保持可能となり、
前記第２の保持手段により前記第２の挟持部を保持することで掛吊穴が使用可能となる、掛吊穴閉鎖部材。
【請求項２】
前記第２の挟持部は、前記第１の保持手段が解除された後、掛吊穴を覆った状態を維持しており、
前記第２の挟持部又は連結部は、第２の開口が形成され、
前記第２の保持手段により前記第２の挟持部を保持したときに、掛吊穴が前記第２の開口から露出して使用可能となる、請求項１に記載の掛吊穴閉鎖部材。
【請求項３】
前記第１の開口は、破断可能なフィルムで覆われている、請求項２に記載の掛吊穴閉鎖部材。
【請求項４】
前記第１の開口は、破断可能なフィルムで覆われており、
前記第２の挟持部又は連結部は、前記第２の保持手段により前記第２の挟持部を保持したときに前記フィルムを破断する破断手段を有する、請求項１に記載の掛吊穴閉鎖部材。
【請求項５】
薬剤を収容するための複数の収容室を有する輸液バッグ本体と、
前記輸液バッグ本体の一方端に形成された、前記収容室から薬剤を排出するための薬剤排出部と、
前記輸液バッグ本体の他方端側に形成された掛吊穴と、を備え
請求項１から４のいずれかに記載の掛吊穴閉鎖部材が、前記掛吊穴を閉鎖するよう、前記輸液バッグ本体に装着されている、複室型輸液バッグ。
【請求項６】
前記輸液バッグ本体の他方端から前記掛吊穴まで延びるスリットが形成されている、請求項５に記載の複室型輸液バッグ。
【発明の詳細な説明】
【技術分野】
【０００１】
本発明は、掛吊穴閉鎖部材及び掛吊穴閉鎖部材が装着された複室型輸液バッグに関するものである。
【背景技術】
【０００２】
静脈注射により患者に投与される薬剤の中には、予め配合すると経時変化を起こすような不安定な薬剤がある。経時変化としては、例えばアミノ酸輸液とブドウ糖輸液を配合して保存しておくと褐変する、いわゆるメイラード反応が挙げられる。また、脂肪乳剤と電解質溶液とを配合して保存しておくと脂肪分が凝集を生じ、リン酸含有液とカルシウム含有液を配合しておくとリン酸カルシウムの沈殿を生じ、望ましくない変化を起こす。
【０００３】
このような薬剤に対しては、次のような輸液バッグが用いられることが多い。この輸液バッグは、薬剤を収容する２つの収容室を有するプラスチックフィルム製の輸液バッグ本体と、この輸液バッグ本体から薬剤を排出する薬剤排出部とを備えている。２つの収容室は、輸液バッグ本体の内壁面同士を熱融着した易剥離シール仕切り部によって仕切られている。使用に際しては、いずれかの収容室の中央付近を押圧し、収容室内の圧力を高めて易剥離シール仕切り部を開封する。これによって両収容室が連通し、２つの薬剤が混合される。その後、薬剤排出部を刺入等によって開封し、輸液バッグ本体を吊り下げて、混合後の薬剤を患者に投与する（例えば特許文献１）。上記輸液バッグでは、易剥離シール仕切り部を開通させる前、すなわち薬剤を混合させる前に、薬剤排出部を刺入等によって開封して、混合前の薬剤を患者に投与しないように注意喚起表示が輸液バッグ本体の表面に印刷等されている。
【０００４】
これに対して、例えば、特許文献２では、上述したような輸液バッグを吊り下げるための掛吊穴に対して使用する掛吊穴閉鎖部材が提案されている。この掛吊穴閉鎖部材は一対の挟持部を備えており、初期状態ではこの一対の挟持部が掛吊穴を閉鎖するよう収容室を挟持している。収容室が押圧されると、易剥離シール仕切り部が開通されるとともに一対の挟持部の挟持状態が解除され、掛吊穴が出現するようになっている。すなわち、上記掛吊穴閉鎖部材においては、挟持部の挟持状態が解除されるまでは掛吊穴を使用することができないようになっており、これにより、混合前の薬剤を患者に投与するのを防止している。
【先行技術文献】
【特許文献】
【０００５】
【特許文献１】特開平８−２２９０９９号公報
【特許文献２】実登３１１８２９１号公報
【発明の概要】
【発明が解決しようとする課題】
【０００６】
しかしながら、上述したような掛吊穴閉鎖部材は、収容室を挟持している一対の挟持部が手で無理に抉じ開けられてしまう可能性がある。この場合、易剥離シール仕切り部が開封されていなくても掛吊穴が使用可能となってしまうため、混合前の薬剤を患者に投与してしまうのを確実に防止することができないという問題がある。
【０００７】
そこで、本発明は、混合前の薬剤を患者に投与するのをより効果的に防止することができる掛吊穴閉鎖部材を提供することを課題とする。
【課題を解決するための手段】
【０００８】
本発明に係る掛吊穴閉鎖部材は、易剥離シール仕切り部により隔てられた複数の収容室を有し掛吊穴が形成された複室型輸液バッグに装着される掛吊穴閉鎖部材であって、複室型輸液バッグに固着され、掛吊穴と一致する位置に第１の開口が形成された第１の挟持部と、前記第１の挟持部とともに収容室を挟持するための第２の挟持部と、前記第１及び第２の挟持部を連結する、屈曲可能な連結部と、前記第１及び第２の挟持部の一方面同士を対向させた状態で、前記第２の挟持部が掛吊穴を閉鎖するとともに前記第１及び第２の挟持部の少なくとも一部が収容室を挟持するよう、前記第２の挟持部を保持する第１の保持手段と、前記第１及び第２の挟持部の他方面同士を対向させた状態で、掛吊穴が露出するよう前記第２の挟持部を保持する第２の保持手段と、を備え、前記第２の保持手段は、易剥離シール仕切り部が開通した状態において、前記第２の挟持部を保持可能となり、前記第２の保持手段により前記第２の挟持部を保持することで掛吊穴が使用可能となる。
【０００９】
本発明に係る掛吊穴閉鎖部材が装着された輸液バッグを使用する場合、まず、易剥離シール仕切り部を開通して各収容室内の薬剤を混合するため、いずれかの収容室を押圧する。このとき、収容室を押圧することによって収容室が膨張し、収容室を挟持していた第１及び第２の挟持部が互いに離反するよう、第１及び第２の挟持部に力が作用して、第１の保持手段による第２の挟持部の保持が解除される。しかしながら、第２の保持手段により第２の挟持部が保持されるまでは掛吊穴を使用することができない。このため、連結部を折り返して第１及び第２の挟持部の他方面同士を対向させ、掛吊穴が使用可能となるよう、第２の保持手段によって第２の挟持部を保持する必要がある。このように第２の保持手段によって第２の挟持部を保持することで、掛吊穴が露出し、掛吊穴を使用することができるようになる。ここで、上記第２の保持手段は、易剥離シール仕切り部が開通した状態において初めて第２の挟持部の保持が可能となる。これは、易剥離シール仕切り部が開通される前は、内部の薬剤や気体によって収容室に厚みがあり、この厚みが第２の保持手段による第２の挟持部の保持を妨げるためである。このように、易剥離シール仕切り部を開通するまでは第２の保持手段が第２の挟持部を保持することができず、掛吊穴を使用することができないため、輸液バッグを使用することができない。この結果、混合前の薬剤を患者に投与するのを効果的に防止することができる。また、本発明によれば、第1の狭持部が掛吊穴から外れないので、特許文献２のように掛吊穴のみで、輸液バッグを保持することがないため掛吊穴の強度を高める効果もある。さらに、輸液バッグと掛吊穴を同時に廃棄することができる利点もある。なお、第１の挟持部において、第１の開口が掛吊穴と一致する位置とは、掛吊穴が使用可能なように第１の開口が掛吊穴と重なっていればよく、完全に一致している必要はない。
【００１０】
上記掛吊穴閉鎖部材は、第１の保持手段による保持解除後も第２の挟持部が掛吊穴を覆った状態を維持しており、第２の挟持部又は連結部に第２の開口が形成されていてもよい。この第２の開口は、第２の保持手段により第２の挟持部が保持されたときに掛吊穴を露出させるよう構成される。この構成によれば、第２の保持手段によって第２の挟持部が保持されるまでは第２の開口から掛吊穴が露出せず、掛吊穴を使用することができないため、混合前の薬剤を患者に投与するのを確実に防止することができる。
【００１１】
上記掛吊穴閉鎖部材は、第１の開口が破断可能なフィルムで覆われていてもよい。この構成によれば、使用者に対し、掛吊穴を使用可能な状態としたかどうか注意喚起することができるため、混合前の薬剤を患者に投与するのをより確実に防止することができる。
【００１２】
本発明に係る掛吊穴閉鎖部材は、第１の開口が破断可能なフィルムで覆われており、第２の挟持部又は連結部が第２の保持手段によって第２の挟持部が保持されたときに上記フィルムを破断する破断手段を有するよう構成されていてもよい。この構成によれば、フィルムが破断されるまでは掛吊穴を使用することができないため、使用者が掛吊穴を無理に使用するのを防止することができる。
【００１３】
上述したような掛吊穴閉鎖部材が装着される複室型輸液バッグは、薬剤が収容される収容室を有する輸液バッグ本体を備えており、この輸液バッグ本体の一方端には収容室から薬剤を排出するための薬剤排出部が形成されている。また、輸液バッグ本体の他方端には掛吊穴が形成されており、この掛吊穴は掛吊穴閉鎖部材によって閉鎖されている。
【００１４】
上記複室型輸液バッグは、輸液バッグ本体の他方端から掛吊穴まで延びるスリットが形成されているのが好ましい。この構成によれば、掛吊穴閉鎖部材が複室型輸液バッグから取り外された状態では、フック等がスリットから抜けてしまうため、複室型輸液バッグを吊り下げることができない。これにより、使用者が掛吊穴閉鎖部材を無理に取り外して使用するのを確実に防止することができる。
【発明の効果】
【００１５】
本発明によれば、混合前の薬剤を患者に投与するのを効果的に防止することができる。
【図面の簡単な説明】
【００１６】
【図１】本発明の一実施形態に係る掛吊穴閉鎖部材が装着される前の複室型輸液バッグの正面図である。
【図２】同掛吊穴閉鎖部材の側面図（ａ）及び平面図（ｂ）である。
【図３】同掛吊穴閉鎖部材の使用状態を示す側面図である。
【図４】同掛吊穴閉鎖部材を複室型輸液バッグに装着した状態を示す正面図（ａ）、背面図（ｂ）、及び側面断面図（ｃ）である。
【図５】同掛吊穴閉鎖部材の使用方法を示す側面断面図である。
【図６】同掛吊穴閉鎖部材の図５（ｃ）における背面部分拡大図である。
【図７】同掛吊穴閉鎖部材の変形例を示す側面図（ａ）及び平面図（ｂ）である。
【図８】同掛吊穴閉鎖部材の変形例を示す側面図（ａ）及び平面図（ｂ）である。
【図９】同掛吊穴閉鎖部材の変形例の使用方法を示す側面断面図（ａ）及び正面部分拡大図（ｂ）である。
【図１０】同掛吊穴閉鎖部材の変形例の使用方法を示す側面断面図（ａ）及び正面部分拡大図（ｂ）である。
【発明を実施するための形態】
【００１７】
以下、本発明に係る掛吊穴閉鎖部材及び掛吊穴閉鎖部材が装着された複室型輸液バッグの実施形態について図面を参照しつつ説明する。
【００１８】
まず、掛吊穴閉鎖部材が装着される前の複室型輸液バッグについて説明する。図１に示すように、複室型輸液バッグ１は、薬剤を収容する２つの収容室２１、２２を有する輸液バッグ本体２と、薬剤を排出する薬剤排出部３とを備えている。輸液バッグ本体２は、可撓性のある柔軟な透明プラスチック製であって、輸液バッグ本体２の内壁面同士を熱融着した易剥離シール仕切り部２３が形成されており、この易剥離シール仕切り部２３で収容室２１、２２が隔てられている。また、輸液バッグ本体２は、輸液バッグ１を吊り下げるための掛吊穴２４が上端部に形成されている。なお、輸液バッグ本体２において、掛吊穴２４から上端まで延びるスリットを形成し、後述する掛吊穴閉鎖部材を外してしまうと輸液バッグ１をハンガーやフック等に吊るすことができないような態様であればなおさら良い。
【００１９】
次に、掛吊穴閉鎖部材について説明する。図２に示すように、掛吊穴閉鎖部材４は、連結部７によって連結された第１及び第２の挟持部５、６を有している。連結部７は、図２（ｂ）に示すように、中央に開口部７３が形成されるとともに、連結部７を折り曲げるための第1及び第２の薄肉部７１、７２が形成されている。なお、第１の薄肉部７１は、図３（ａ）に示すように、第１及び第２の挟持部５、６が内側面（一方面）５３、６３同士を対向させた状態となるように連結部７を折り曲げ可能であり、第２の薄肉部７２は、図３（ｂ）に示すように、第１及び第２の挟持部５、６が外側面（他方面）５４、６４同士を対向させた状態となるように連結部７を折り曲げ可能である。なお、連結部７の材質としては、例えば、ポリプロピレン、ポリエチレン、又はこれらの混合物、更には、ポリアセタール、ポリカーボネイト等を挙げることができる。
【００２０】
図２に示すように、第1の挟持部５に第１の開口５１が形成されるとともに、第２の挟持部６の内側面６３に嵌合突起６１が形成されている。この第１の開口５１及び嵌合突起６１は、図３（ａ）に示すように、連結部７の第１の薄肉部７１を折り曲げて第１及び第２の挟持部５、６の内側面５３、６３同士を対向させることによって、互いに嵌合するように構成されている。なお、第１の開口５１及び嵌合突起６１が本発明の第１の保持手段に相当する。
【００２１】
また、図２に示すように、第１の挟持部５の外側面５４に弾力性を有する頭部付きの係合突起５２が形成されるとともに、第２の挟持部６に係合穴６２が形成されている。この係合突起５２及び係合孔６２は、図３（ｂ）に示すように、連結部７の第２の薄肉部７２を折り曲げて第１及び第２の挟持部５、６の外側面５４、６４同士を対向させることによって、互いに係合するように構成されている。なお、係合穴６２の径を係合突起５２の頭部の径よりも小さくすることによってこれらが係合したときにその状態が容易に解除されないようになっており、係合突起５２及び係合穴６２は本発明の第２の保持手段に相当する。
【００２２】
以上のように構成された掛吊穴閉鎖部材４は、図４に示すように、輸液バッグ１に装着される。具体的には、第１の挟持部５の第１の開口５１周辺に立設された周壁部５５が輸液バッグ２の掛吊穴２４に挿入された状態で、熱融着等によって第１の挟持部５の内側面５３の少なくとも一部を輸液バッグ２に固着されることで、掛吊穴閉鎖部材４は輸液バッグ１に装着される。このとき、第１の挟持部５の第１の開口５１の位置は、輸液バッグ本体２の掛吊穴２４の位置と一致している。なお、掛吊穴閉鎖部材４を輸液バッグ１に固着する方法としては、接着剤による装着の他、掛吊穴２４の周縁部を第１の開口５１周縁部に巻き込んでかしめる、あるいは掛吊穴２４の周縁部に数個の穴を開け掛吊穴閉鎖部材４に凸部を付けて組み込む等の方法が考えられるが、これらの方法に限らず、掛吊穴閉鎖部材４が輸液バッグ１から外れないような手段であれば、どのような手段でもよい。
【００２３】
次に、本実施形態に係る複室型輸液バッグ２に装着された掛吊穴閉鎖部材４の使用方法について、図５も参照しつつ説明する。
【００２４】
図５（ａ）に示すように、複室型輸液バッグ１が使用される前の状態では、掛吊穴閉鎖部材４の第１及び第２の挟持部５、６の先端部は輸液バッグ本体２の収容室２１を挟持しており、この第１及び第２の挟持部５、６の挟持状態は第１の挟持部５の第１の開口５１に第２の挟持部６の嵌合突起６１が嵌合することにより保持されている。また、輸液バッグ本体２の掛吊穴２４は第２の挟持部６によって閉鎖されている。
【００２５】
掛吊穴閉鎖部材４が装着された輸液バッグ１を使用する場合、まず、収容室２１の中央付近を押圧して収容室２１の内圧を上昇させ、易剥離シール仕切り部２３を開通させる。このとき、収容室２１が膨張するため、収容室２１を挟持していた第１及び第２の挟持部５、６に対し、第１及び第２の挟持部５、６が離反する方向に力が作用する。これにより、図５（ｂ）に示すように、第１の挟持部５の第１の開口５１と第２の挟持部６の嵌合突起６１との嵌合が解除され、第２の挟持部６が輸液バッグ本体２から離反する。しかしながら、第２の挟持部６は、連結部７の第１の薄肉部７１が折り曲げられていることにより、掛吊穴２４を覆うような状態で静止する。
【００２６】
上述した状態では、第２の挟持部６によって掛吊穴２４が覆われているため、輸液バッグ１を使用することができない。このため、図５（ｃ）に示すように、連結部７の第２の薄肉部７２を折り曲げ、第１及び第２の挟持部５、６の外側面５４、６４同士を対向させる。そして、第１の挟持部５の係合突起５２の位置と第２の挟持部６の係合穴６２の位置とを整合させ、第２の挟持部６を輸液バッグ本体２に向かって押圧して係合突起５２の頭部を係合穴６２に押し込むことで係合突起５２及び係合穴６２を係合させる。係合突起５２及び係合穴６２の係合は、係合突起５２の頭部の径が係合穴６２の径よりも大きいため、容易に解除されないようになっている。このように係合突起５２と係合穴６２とを係合させることで、図５（ｃ）及び図６に示すように、掛吊穴２４を使用するのに邪魔にならないよう第２の挟持部６が固定され、また、連結部７の第２の開口７３から掛吊穴２４が露出するため、掛吊穴２４が使用可能な状態となる。なお、係合突起５２と係合穴６２とを係合させるためには易剥離シール仕切り部２３が開通されている必要がある。すなわち、易剥離シール仕切り部２３が未開通の状態では、収容室２１には内部の薬剤や気体による厚みがあり、第２の挟持部６を輸液バッグ本体２に向かって押圧した際、収容室２１の厚みによって第２の挟持部６が押し返されるため、係合突起５２及び係合穴６２を係合させることができない。
【００２７】
上記のようにして掛吊穴２４を使用可能な状態とした後、掛吊穴２４を使用して輸液バッグ１を吊り下げ、薬剤排出部３を刺入等によって開封して、混合済みの薬剤を患者に投与する。
【００２８】
以上のように、上記掛吊穴閉鎖部材４においては、輸液バッグ本体２の掛吊穴２４を使用するためには、第１及び第２の挟持部５、６の挟持状態を解除するだけでなく、第１及び第２の挟持部５、６の外側面同士を対向させ、第１の挟持部５の係合突起５２と第２の挟持部６の係合穴６２とを係合させる必要がある。しかしながら、易剥離シール仕切り部２３の開通前は、収容室２１に厚みがあることによって、係合突起５２及び係合穴６２を係合させることができないようになっている。すなわち、易剥離シール仕切り部２３が開通されて収容室２１、２２内の薬剤が混合されるまでは、掛吊穴２４が使用できず、輸液バッグ１を使用することができない。これにより、混合前の薬剤を患者に投与するのを効果的に防止することができる。
【００２９】
以上、本発明の実施形態について説明したが、本発明はこれらに限定されるものではなく、本発明の趣旨を逸脱しない限りにおいて種々の変更が可能である。
【００３０】
例えば、上記実施形態において、第１の開口５１が破断可能なフィルムで覆われていてもよい。この場合は、輸液バッグ１を吊り下げる際に点滴スタンドのフック等で上記フィルムを破断する。この構成によれば、使用者に対し、掛吊穴を使用可能な状態としたかどうか注意喚起することができ、混合前の薬剤を患者に投与するのを確実に防止することができる。
【００３１】
また、上記実施形態においては、第１の保持手段は、第１及び第２の挟持部５、６それぞれに形成された第１の開口５１及び嵌合突起６１であったが、第１及び第２の挟持部が輸液バッグの収容室を挟持するよう第２の挟持部を保持できるものであればこれに限定されず、例えば、第１及び第２の挟持部５、６の内側面５３、６３同士の摩擦によるものや、凹凸係合によるもの、テーパーによる嵌合等でもよい。
【００３２】
また、上記実施形態においては、第２の保持手段は、第１及び第２の挟持部５、６それぞれに形成された係合突起５２及び係合穴６２であったが、第１及び第２の挟持部の外側面同士が対向する状態を維持するよう第２の挟持部を保持できるものであって、易剥離シール仕切り部開通後に保持可能となり、かつ保持後に容易に外れないようなものであればこれに限定されず、例えば、第１及び第２の挟持部５、６の外側面５４、６４同士の摩擦によるものや、凹凸係合によるもの、テーパーによる嵌合等でもよい。
【００３３】
また、上記実施形態においては、第２の開口７３は、連結部７に形成されていたが、第２の保持手段により第２の挟持部が保持されたときに掛吊穴を露出させるようなものであればよく、第２の挟持部に形成されていてもよい。
【００３４】
また、上記実施形態においては、掛吊穴閉鎖部材４が複室型輸液バッグ１に装着されたときに連結部７の第１の薄肉部７１が折り曲げられていたが、第１の保持手段による第２の挟持部の保持が解除された後も掛吊穴を覆った状態を維持することができればこれに限定されない。例えば、連結部を折り返して第１及び第２の挟持部の外側面同士を対向させただけでは連結部又は第２の挟持部によって掛吊穴が覆われており、第２の保持手段によって第２の挟持部材を保持して初めて掛吊穴が露出するような位置に第２の開口を形成することもできる。
【００３５】
また、図７のように構成することで、第２の挟持部が掛吊穴を覆った状態を維持していなくても、第２の保持手段によって第２の挟持部を保持する前に掛吊穴を使用するのを防止することができる。すなわち、図７に示すように、掛吊穴閉鎖部材４０は、第１の開口５１が破断可能なフィルム８で覆われており、連結部７０の外側面７０４において第２の開口７０３の周縁部に、フィルム８を破断するための第１の突起９１（破断手段）が形成されていてもよい。あるいは、図８に示すように、開口７０３の周縁部に形成された第２の突起９２（破断手段）が開口５１に嵌合する際に周壁部５５を押し広げることによるフィルム８の破断が生じるような構造でもよい。このように構成された掛吊穴閉鎖部材４０は、図９に示すように、連結部７０の第２の薄肉部７０２を折り曲げて係合突起５２及び係合穴６２を係合させた場合に、第１の突起９１がフィルム８を破断する。又は、図１０に示すように、第２の突起９２が開口５１に嵌合する際に周壁部５５を押し広げることによりフィルム８を破断する。このように、係合突起５２及び係合穴６２を係合、又は第２の突起９２を開口５１に嵌合させるまでは掛吊穴２４を使用することができず、使用者が掛吊穴２４を無理に使用するのを防止することができる。なお、第２の突起９２及び開口５１も本発明の第２の保持手段に相当する。上記掛吊穴閉鎖部材においては、係合突起５２及び係合穴６２が係合、又は第２の突起９２及び開口５１が嵌合したとき、すなわち第２の保持手段による保持がなされたときにフィルム８を破断するような破断手段を備えていればよく、例えば、第２の挟持部に突起が形成されていてもよい。また、フィルム８には注意喚起等の表示を施すこともできる。
【符号の説明】
【００３６】
１            複室型輸液バッグ
２            輸液バッグ本体
２１、２２    収容室
２３          易剥離シール仕切り部
２４          掛吊穴
３            薬剤排出部
４、４０             掛吊穴閉鎖部材
５            第１の挟持部
６            第２の挟持部
５１          第１の開口
５１、６１    第１の開口、嵌合突起（第１の保持手段）
５２、６２    係合突起、係合穴（第２の保持手段）
５１、９２    第１の開口、第２の突起（第２の保持手段）
７、７０             連結部
７３、７０３  第２の開口
８            フィルム
９１、９２    第１及び第２の突起（破断手段）
【図１】
2010284400.tif 000003
【図２】
2010284400.tif 000004
【図３】
2010284400.tif 000005
【図４】
2010284400.tif 000006
【図５】
2010284400.tif 000007
【図６】
2010284400.tif 000008
【図７】
2010284400.tif 000009
【図８】
2010284400.tif 000010
【図９】
2010284400.tif 000011
【図１０】
2010284400.tif 000012